(57)【要約】【課題】容易に制作可能で、より高いマッサージ効果を得ることができるクッション体を提供すること。【解決手段】綿や麻等からなる袋体１中に、弾性ゴム球やスポンジ等からなる複数のクッション材２を収納したクッション体であって、袋体１中にクッション材２を収納したときに、クッション材２どうしが接しないように、袋体１の一部に仕切部３が設けられていることを特徴とするクッション体。また、袋体１が上面１１と下面１２とからなる袋体１からなり、上面１１と下面１２との間で仕切部３が設けられているクッション体。さらに、クッション材２が、袋体１中において千鳥状に配置され収納されているクッション体。【選択図】図１
0003105384.tif 000002
【実用新案登録請求の範囲】
【請求項１】
綿や麻等からなる袋体中に、弾性ゴム球やスポンジ等からなる複数のクッション材を収納したクッション体であって、
前記袋体中に前記クッション材を収納したときに、クッション材どうしが接しないように、前記袋体の一部に仕切部が設けられていることを特徴とするクッション体。
【請求項２】
前記袋体が上面と下面とからなる袋体からなり、前記上面と下面との間で前記仕切部が設けられていることを特徴とする請求項１に記載のクッション体。
【請求項３】
前記クッション材が、前記袋体中において千鳥状に配置され収納されていることを特徴とする請求項１又は２に記載のクッション体。
【考案の詳細な説明】
【技術分野】
【０００１】
本考案は、綿や麻等からなる袋体中に、弾性ゴム球やスポンジ等からなる複数のクッション材を収納したクッション体に関し、
詳しくは、クッション材を袋体に収納してクッション体としたときに、クッション材どうしが接しないようにしたことを特徴とするクッション体に関する。
【背景技術】
【０００２】
従来、複数の弾性体やクッション体を連結して一体のクッションとし、適度なマッサージ効果を得ることや、体圧を分散して褥瘡防止を目的とすることが行われている。
例えば、下記特許文献１には、２枚の通気性を有するシートを重ねて平行線で結合し袋部を隣接して形成し、球殻を連続させた構造の中空管クッション部材を前記袋部に挿入することを特徴としたクッションマットが開示されている。
【特許文献１】特開平８−１９６３８９号公報
【考案の開示】
【考案が解決しようとする課題】
【０００３】
しかしながら、従来の連結クッション体は以下に述べるような問題点を有していた。
すなわち、特許文献１に記載のクッションによれば、球殻を連続させた構造のクッション部材が、球の直径に合致した開口部を有する細長い袋部に、平行に収納されているために、球殻の山の位置が完全に固定されている。また、球殻は連続して結合した構造となっており、一つずつの山の位置が接近していることに加えて、谷の部分は浅く、球体独特のより良いマッサージ効果が得られなかった。
【０００４】
本考案は、これらの問題点に鑑み、簡易に作成することができ、効果的なマッサージ・指圧効果が得られるクッション体を提供することを目的とする。
【課題を解決するための手段】
【０００５】
本考案のクッション体は、請求項１に記載するように、
綿や麻等からなる袋体中に、弾性ゴム球やスポンジ等からなる複数のクッション材を収納したクッション体であって、
前記袋体中に前記クッション材を収納したときに、クッション材どうしが接しないように、前記袋体の一部に仕切部が設けられていることを特徴とする。
請求項２に記載のクッション体は、請求項１において、
前記袋体が上面と下面とからなる袋体からなり、前記上面と下面との間で前記仕切部が設けられていることを特徴とする。
請求項３に記載のクッション体は、請求項１又は２において、
前記クッション材が、前記袋体中において千鳥状に配置され収納されていることを特徴とする。
【考案の効果】
【０００６】
本考案の請求項１に記載のクッション体は、
綿や麻等からなる袋体中に、弾性ゴム球やスポンジ等からなる複数のクッション材を収納したクッション体であり、袋体中にクッション材を収納したときに、クッション材どうしが接しないように、袋体の一部に仕切部が設けられた構成としているので、
簡易に作成することができ、効果的なマッサージ・指圧効果が得られる。
また、リハビリや介護の際に、患者等が手で握って握力のトレーニングをするための掌握クッションとして使用することもできる。
請求項２に記載のクッション体は、請求項１において、
袋体が上面と下面とからなる袋体からなり、上面と下面との間で仕切部が設けられている構成としているので、クッション体が袋体の中で一方に片寄って配置されずに、袋体の中で均等に配置された構成とすることができる。
請求項３に記載のクッション体は、請求項１又は２において、
前記クッション材が、前記袋体中において千鳥状に配置され収納されている構成としているので、クッション体の上に人間が座ったり仰向けになった場合等に体圧が適度に分散されて、褥瘡の防止も期待することができる。
さらに、本考案のクッション材は、弾性体を使用しているため乳幼児が使用してもけがをすることがなく安全である。
【考案を実施するための最良の形態】
【０００７】
以下、図面を用いて本考案を更に詳細に説明する。図１は、本考案の実施形態を示す概略説明図である。
図１に示すように、本考案のクッション体１０は、弾性を有する複数の弾性ゴム球からなるクッション材２が袋体１の中に収納されている。袋体１には仕切部３が設けられており、袋体１に収納されているクッション材２は、それらどうしが接しないようにされている。
この仕切部３をどのような位置、形状とするかは、袋体１の形状や、クッション材２の大きさや形状によって異なるが、袋体１中において、仕切部３を越えてクッション材２どうしが接触することを抑制できるように仕切部３を配設している。
【０００８】
クッション材２の形状は、球状であることが、本考案のマッサージ効果を達成するためには好ましいが、正確な球である必要はなく、略球状であっても良いし、角を取った立方体や直方体であっても良い。また球の表面に凹凸等が形成されている金平糖形状をしたものであっても良い。クッション材２の形状は、用途や使用者の好みに応じて適宜選択することができる。
【０００９】
クッション材２を球体とする場合は、その直径の長さを特に限定するものではないが、ゴルフボール程度の直径から、野球ボールやテニスボール程度の直径のものであることが、本考案のクッション体１０の取扱の観点からは好ましい。なお、球体の直径は、用途や使用者が得たいマッサージ効果等により、適宜選択することができる。
なお、クッション材２の材質としては、弾性を有するものであれば特に限定されるものではなく、ゴム、ウレタン樹脂、スポンジ等を用いることができる。
【００１０】
袋体１の形状は、用途や使用者の好み等に応じて適宜選択することができるが、長方形や正方形としても良いし、直方体、立方体、円錐状、角錐上等の立体形状とすることもできる。いずれにせよ、袋体１の内部にクッション材を収納できる構成とすることが必要である。
袋体１の大きさとしては、用途や使用者の好みのよって適宜決定されるものであるが、
手で握って握力向上用に用いるものであれば、１０ｃｍ×２０ｃｍ程度の長方形状の袋体の中に、球体を８個程度収納したものが、取扱しやすく好ましい。  
【００１１】
袋体１の材質は例えば、綿、麻、絹、羊毛等の柔軟性のある天然繊維や、レーヨン、ポリエステル、ナイロン、アクリル等の化学繊維・合成繊維、通気性を有するメッシュ状の布、ネット状の布、ビニルシート等を用いることができる。
ここで、メッシュ状の布は布地に開口部分を有する袋状の編地であり、編地内に空間（袋）を確保して、その開口部分を通して袋体内部に通気性を付与するものである。
本考案のクッション体１０にメッシュ状の布地を使用することにより、通気性に優れ衛生的にも安全なクッション体とすることが可能である。メッシュ状の布地は、袋体１の少なくとも一部分に使用することが通気性が向上し好ましいが、特に袋体１の全体にメッシュ状の布地を用いることにより、更に通気性が向上する。
【００１２】
また、上記の中でも特に、天然繊維からなる布地であることが、使用者の肌触り等の観点からは好ましい。布地の種類としては、デニム生地、ガーゼ生地、パイル地、ニット地等、使用者の好みに応じて適宜選択することができる。
さらに、袋体１の材質となる布地等は特に伸縮性を有するものであることが好ましい。袋体１の内部には弾性を有するクッション材２を多数収納するものであるが、クッション材２の弾性に合わせて、袋体１も伸縮するものであることが、使用者の使い勝手からは望ましい。
【００１３】
袋体１の製造方法としては、公知の袋体の製造法を適用することができる。すなわち、例えば２枚の長方形または正方形の布を中表に合わせ、各辺をミシン縫い或いは手縫いで縫い合わせて袋体１とする。縫い合わせた各辺には、図２に示すようにマチ部１５を設けてクッション材２の収納性をより高めることもできる。
【００１４】
袋体１にクッション材２を収納する際には、クッション材２の移動を拘束するために、袋体１の上面１１と下面１２を連結した仕切部３を設けることが必要である。
仕切部３を設けることで、クッション材２が袋体１の中で自由に移動することを拘束し、クッション材２の偏りをなくすことができる。
【００１５】
仕切部３は、袋体１とクッション材２との間にゆとりを作らず、クッション材２を全く動かないように、完全に袋体１内に固定するべく形成することもできるが、袋体上面１１と下面１２間にゆとりを持たせて（上面１１と下面１２とを接触状態にしないで）仕切部３を設けることもできる。この場合、クッション材２は袋体上面１１と下面１２と仕切部３とからなる小空間１３の中で、ある程度の移動が可能となるため、使用者は自分の体の希望する部位にクッション材２が当接するように、クッション材２の位置を微調整することが可能である。
【００１６】
仕切部３は図１に示すように点状であっても良いし、図３（ａ）に示すように線状であっても良い。図１では、袋体１の上面１１と下面１２が接触する状態で仕切部３を設けているが、上面１１と下面１２が直接接触する必要はなく、クッション材２の移動がある程度拘束され、且つ、袋体上面１１と下面１２と仕切部３とで囲まれた小空間１３の中である程度の移動が可能となるような様態で仕切部３が設けられていれば足りる。
例えば、袋体１の内部に、上面１１の一部分と下面１２の一部分を繋ぐように上下方向に糸で仕切ったような仕切部３としても良い。
その他の仕切部３の形成方法としては、針と糸とを用いて上面１１と下面１２とを接触状態にして縫着するものであっても良いし、紐を用いて結ぶものであっても良い。また、面テープ、スナップ、ボタン等で上面１１と下面１２とを留めるものであっても良い。さらには、衣料用の接着剤や両面テープを用いて上面１１と下面１２とを固着することも可能である。
【実施例１】
【００１７】
以下、図面を用いて本考案のクッション体の実施例を詳細に説明する。
図１は、本考案のクッション体の第一の実施例を示す概略平面図である。本考案のクッション体は、複数の球状のクッション材２を袋体１に千鳥状に収納したものである。
図２は、図１におけるＡ−Ａ線断面図である。袋体１は、袋体１の上面１１と袋体下面１２が点状の仕切部３により結合されている。
【００１８】
クッション材２の配置は特に限定されるものではないが、図１に示すように、袋体１の中で平面状に、千鳥状に交互に配置されていることが好ましい。すなわち、図１は、図面向かって（平面視で）下から１段列には横方向に４個、その上段列には、１段目のクッション材２の中間に位置する位置に４個のクッション材が配置されている。このように、クッション材２が千鳥状に交互に配置されていることで、使用者のマッサージ効果を高めることができる。
また、千鳥状に配置せず、上段列のクッション材２を、１段列のクッション材２と同じ位置（同じ縦方向位置）に配置し、クッション体１０が全体として長方形状になるようにしても良い。
【実施例２】
【００１９】
図３は、本考案の第二の実施例を示す概略平面図である。図３（ａ）に示す本考案のクッション体はクッション材２を複数個、横一列の直線上に並べてなるものである。この際、クッション材２は、各々が袋体１中の仕切られた小空間１３中に配置されるように、仕切部３を各クッション材の中間に形成されている。
仕切部３は図３（ａ）に示すように、ミシン縫い又は手縫いで直線状に形成しても良い。この際、仕切部にギャザーをよせて絞るようにしても良い。
また、図３（ｂ）に示すように、糸や紐等で袋体の外側から数周巻き付け、各クッション材２を離間させるようにしても良い。
図３においては、クッション材２の個数は４個にて説明しているが、その数は特に問わない。
【実施例３】
【００２０】
図４は、本考案の第三の実施例を示す概略図である。
図４（ａ）は、クッション材２を４個正方形状に配置し、袋体１中に封入したものである。図４（ａ）ではクッション材２の数は４個で説明しているが、更に増やして大きな正方形としても良い。
その他、図４（ｂ）に示したように、クッション材２を３角形状に配置したものも考えられる。３角形状の配置方法としては、図４（ｂ）の平面視において、３個のクッション材２を下段に２個、上段に１個配置したものを図示しているが、合計６つのクッション材を、下から３個、２個、１個の順で配置して三角形状としても良いし、更に３角形の１辺のクッション材の個数を増やした配置としても良い。
図４（ｃ）は、５個のクッション材２を台形状に配置したものである。図に示すように、例えば下段が３個、上段が２個のクッション材を配置して台形状となるものであっても良い。
図４（ｄ）は、７個のクッション材２を花びら状に配置したものである。図に示すように、例えば中心部に１個のクッション材２を配置し、その周辺部に６個のクッション材２を配置して全体として花びら状になるようなクッション体とすることもできる。この際、花びら状に替えて、略円状、楕円状になるような配置としても良い。
【実施例４】
【００２１】
図５は、本考案の第四の例を示す概略平面図である。
図５は、クッション材２をリング状に配置した形状としたものである。すなわち、筒状の袋体１の中に、クッション材２を入れ、その後各クッション材２の移動を拘束するように仕切部３を設け、その後袋体１の両端をつなぎ合わせてリング状としたものである。
図５（ａ）に示すようにリング状の袋体１の中に配置されるクッション材２の列は１列でも良いし、（ｂ）に示すように２列にしても良い。またそれ以上でもよい。
【産業上の利用可能性】
【００２２】
本考案のクッション体は、簡易に制作・使用することができ、より良いマッサージ効果を得られる。また、複数のクッション材を収納しているため、程度に体圧を分散し、座布団や枕等として使用したときには褥瘡の予防や防止も期待することができる。
リハビリや介護の際に、患者等が手に握って握力のトレーニングをするための掌握クッションとして使用することもできる。
本考案のクッション体は、弾性体を使用しているため乳幼児が使用してもけがをすることがなく安全である。
なお、袋体中に収納されるクッション材の数は特に限定されない。少数のクッション材を収納することにより簡易なマッサージ用のクッション体として用いても良いし、多数のクッション材を収納することにより、枕や、敷布団等の用途として使用することもできる。
【図面の簡単な説明】
【００２３】
【図１】本考案のクッション体の第一の実施例を示す概略平面図である。
【図２】図１におけるＡ−Ａ線断面図である。
【図３】本考案のクッション体の第二の実施例を示す概略平面図である。
【図４】本考案のクッション体の第三の実施例を示す概略平面図である。
【図５】本考案のクッション体の第四の実施例を示す概略平面図である。
【符号の説明】
【００２４】
１０：クッション体
１：  袋体
２：  クッション材
３：  仕切部
１１：上面
１２：下面
１３：小空間
１５：マチ部
【図１】
0003105384.tif 000003
【図２】
0003105384.tif 000004
【図３】
0003105384.tif 000005
【図４】
0003105384.tif 000006
【図５】
0003105384.tif 000007